【手続補正書】
【提出日】令和3年10月18日(2021.10.18)
【手続補正１】
【補正対象書類名】明細書
【補正対象項目名】００６１
【補正方法】変更
【補正の内容】
【００６１】
本明細書に記載されている例は、他の概念、アイデア、またはシステムとは独立して、本明細書に記載されている個々の要素および概念に及ぶこと、並びに、例えば、本願のどこかに記載されている要素の組合せを含むことが意図される。本明細書において、添付の図面を参照して複数の例を詳細に説明したが、本概念は、これらの正確な例に限定されないことを理解されたい。従って、当業者には、多くの修正および変形が自明であろう。従って、本概念の範囲は、以下の特許請求の範囲およびそれらの等価物によって定められることが意図される。更に、個々に、または例の一部として記載された特定の特徴は、たとえ他の特徴および例がその特定の特徴について言及していない場合であっても、他の個々に記載された特徴、または他の例の一部と組み合わされ得ることが意図される。従って、組み合わせが記載されていないことによって、そのような組み合わせに対する権利を主張することを排除すべきではない。
以下、本発明の好ましい実施形態を項分け記載する。
実施形態１
オンデマンド配達サービスを実装するネットワークコンピュータシステムにおいて、
ネットワーク通信インターフェイスであって、１以上のネットワークを介して、（ｉ）前記オンデマンド配達サービスのユーザのコンピューティング装置、（ｉｉ）前記オンデマンド配達サービスのメニューアイテム供給元のコンピューティング装置、および（ｉｉｉ）前記オンデマンド配達サービスの輸送車輌のコンピューティング装置と接続するネットワーク通信インターフェイスと、
１以上のプロセッサと、
指示を格納した１以上のメモリリソースと
を含み、
前記指示が、前記１以上のプロセッサによって実行された際に、前記ネットワークコンピュータシステムに、
前記オンデマンド配達サービスの各前記ユーザについて、食品アイテムについての１組のユーザ嗜好を示す嗜好プロファイルを生成することと、
前記１以上のネットワークを介して、前記メニューアイテム供給元から１組の利用可能なメニューアイテムを受信することと、
各前記利用可能なメニューアイテムについて、説明的な用語の単語コーパスを含む潜在空間内におけるメニューアイテムベクトルであって、前記利用可能なメニューアイテムを表すメニューアイテムベクトルを生成することと、
各前記ユーザについて、前記潜在空間内における個人嗜好ベクトルであって、各前記ユーザの前記嗜好プロファイル内の前記１組のユーザ嗜好を表す個人嗜好ベクトルを生成することと、
各前記利用可能なメニューアイテムの前記メニューアイテムベクトル、および各前記ユーザの前記個人嗜好ベクトルに基づいて、前記１組の利用可能なメニューアイテムから、１組の一致するメニューアイテムを決定することと、
前記１以上のネットワークを介して、各前記ユーザの前記コンピューティング装置にコンテンツデータを送信し、前記コンピューティング装置に、前記１組の一致するメニューアイテムをオンデマンド配達のための選択可能なアイテムとして表示させることと、
前記１以上のネットワークを介して、各前記ユーザの前記コンピューティング装置から、前記利用可能なメニューアイテムのうちの１つのメニューアイテムのユーザ選択を示す選択データを受信することと、
前記選択データを受信したことに応答して、前記輸送車輌のうちの１以上の輸送車輌とのネットワーク通信を介して、各前記ユーザへの前記選択されたメニューアイテムのオンデマンド配達をコーディネートすることと
を行わせることを特徴とするネットワークコンピュータシステム。
実施形態２
前記実行された指示が、前記ネットワークコンピュータシステムに、各前記ユーザの現在の文脈的情報を決定することを更に行わせ、
前記実行された指示が、前記ネットワークコンピュータシステムに、前記現在の文脈的情報に基づいて、前記１組の一致するメニューアイテムを決定することを更に行わせる、実施形態１記載のネットワークコンピュータシステム。
実施形態３
前記現在の文脈的情報が、時刻、曜日、気象条件、各前記ユーザの現在位置、または各前記ユーザによる検索入力うちの少なくとも１つを示す、実施形態２記載のネットワークコンピュータシステム。
実施形態４
前記実行された指示が、前記ネットワークコンピュータシステムに、前記オンデマンド配達サービスに関する各前記ユーザの履歴データを収集することを更に行わせ、
各前記ユーザの前記嗜好プロファイルが、前記履歴データに基づく、
実施形態１記載のネットワークコンピュータシステム。
実施形態５
前記実行された指示が、前記ネットワークコンピュータシステムに、各前記ユーザの前記履歴データに基づいて、各前記ユーザについての価格敏感性測定指標を決定することを更に行わせ、
前記実行された指示が前記ネットワークコンピュータシステムに、各前記ユーザについての前記価格敏感性測定指標に基づいて、前記１組の一致するメニューアイテムを決定することを更に行わせる、
実施形態４記載のネットワークコンピュータシステム。
実施形態６
前記実行された指示が、前記ネットワークコンピュータシステムに、各前記ユーザの前記履歴データに基づいて、各前記ユーザについての時間敏感性測定指標を決定することを更に行わせ、
前記実行された指示が前記ネットワークコンピュータシステムに、各前記ユーザについての前記時間敏感性測定指標に基づいて、前記１組の一致するメニューアイテムを決定することを更に行わせる、
実施形態４記載のネットワークコンピュータシステム。
実施形態７
前記実行された指示が、前記ネットワークコンピュータシステムに、前記１以上のネットワークを介して、各前記メニューアイテム供給元から、該メニューアイテム供給元によって提供される利用可能なメニューアイテムの供給、または、前記メニューアイテム供給元によって提供される前記利用可能なメニューアイテムを構成する食材の供給のうちの少なくとも一方を示す供給データを受信することを更に行わせる、実施形態１記載のネットワークコンピュータシステム。
実施形態８
前記実行された指示が前記ネットワークコンピュータシステムに、前記供給データに基づいて、各前記ユーザについての１組のお薦め測定指標に重み付けを行うことにより、前記１組の一致するメニューアイテムを決定することを行わせる、実施形態７記載のネットワークコンピュータシステム。
実施形態９
前記実行された指示が前記ネットワークコンピュータシステムに、
前記１以上のネットワークを介して、（ｉ）各前記輸送車輌の現在位置を示す位置データ、および（ｉｉ）各前記輸送車輌によって輸送中の利用可能なメニューアイテムの在庫を示す在庫データを受信することと、
前記位置データおよび前記在庫データに少なくとも部分的に基づいて、各前記ユーザへの前記選択されたメニューアイテムを配達するために最適な輸送車輌を選択することと
によって、各前記ユーザへの前記選択されたメニューアイテムのオンデマンド配達をコーディネートすることを行わせる、実施形態１記載のネットワークコンピュータシステム。
実施形態１０
前記実行された指示が、前記ネットワークコンピュータシステムに、前記１以上のネットワークを介して、前記最適な輸送車輌のコンピューティング装置に、前記最適な輸送車輌の運転手が各前記ユーザへの前記選択されたメニューアイテムの配達を受諾または辞退することを可能にする配達インビテーションを送信することを更に行わせる、実施形態９記載のネットワークコンピュータシステム。
実施形態１１
前記単語コーパスが、前記単語コーパスの前記説明的な用語間の関係を示すオントロジーグラフ内に含まれる、実施形態１記載のネットワークコンピュータシステム。
実施形態１２
受信された前記１組の利用可能なメニューアイテムのうちの各利用可能なメニューアイテムが、該メニューアイテムの画像を有し、
前記実行された指示が、前記ネットワークコンピュータシステムに、画像認識を用いて、前記利用可能なメニューアイテムの前記画像を構文解析することにより、前記利用可能なメニューアイテムの単語による説明を生成することを更に行わせ、
前記実行された指示が、前記ネットワークコンピュータシステムに、前記画像から構文解析された前記利用可能なメニューアイテムの前記単語による説明に基づいて、前記利用可能なメニューアイテムについての前記メニューアイテムベクトルを生成することを行わせる、
実施形態１記載のネットワークコンピュータシステム。
実施形態１３
指示を格納した非一過性のコンピュータ可読媒体において、前記指示が１以上のプロセッサによって実行された際に、前記指示が前記１以上のプロセッサに、
オンデマンド配達サービスの各ユーザについて、食品アイテムについての１組のユーザ嗜好を示す嗜好プロファイルを生成することと、
前記１以上のネットワークを介して、複数のメニューアイテム供給元から１組の利用可能なメニューアイテムを受信することと、
各前記利用可能なメニューアイテムについて、説明的な用語の単語コーパスを含む潜在空間内におけるメニューアイテムベクトルであって、前記利用可能なメニューアイテムを表すメニューアイテムベクトルを生成することと、
各前記ユーザについて、前記潜在空間内における個人嗜好ベクトルであって、各前記ユーザの前記嗜好プロファイル内の前記１組のユーザ嗜好を表す個人嗜好ベクトルを生成することと、
各前記利用可能なメニューアイテムの前記メニューアイテムベクトル、および各前記ユーザの前記個人嗜好ベクトルに基づいて、前記１組の利用可能なメニューアイテムから、１組の一致するメニューアイテムを決定することと、
１以上のネットワークを介して、各前記ユーザのコンピューティング装置にコンテンツデータを送信し、前記コンピューティング装置に、前記１組の一致するメニューアイテムをオンデマンド配達のための選択可能なアイテムとして表示させることと、
前記１以上のネットワークを介して、各前記ユーザの前記コンピューティング装置から、前記利用可能なメニューアイテムのうちの１つのメニューアイテムのユーザ選択を示す選択データを受信することと、
前記選択データを受信したことに応答して、１以上の輸送車輌とのネットワーク通信を介して、各前記ユーザへの前記選択されたメニューアイテムのオンデマンド配達をコーディネートすることと、
を行わせることを特徴とする、非一過性のコンピュータ可読媒体。
実施形態１４
前記実行された指示が、前記ネットワークコンピュータシステムに、各前記ユーザの現在の文脈的情報を決定することを更に行わせ、
前記実行された指示が、前記１以上のプロセッサに、前記現在の文脈的情報に基づいて、前記１組の一致するメニューアイテムを決定することを更に行わせる、
実施形態１３記載の非一過性のコンピュータ可読媒体。
実施形態１５
前記現在の文脈的情報が、時刻、曜日、気象条件、各前記ユーザの現在位置、または各前記ユーザによる検索入力うちの少なくとも１つを示す、実施形態１４記載の非一過性のコンピュータ可読媒体。
実施形態１６
前記実行された指示が、前記１以上のプロセッサに、前記オンデマンド配達サービスに関する各前記ユーザの履歴データを収集することを更に行わせ、
各前記ユーザの前記嗜好プロファイルが、前記履歴データに基づく、
実施形態１３記載の非一過性のコンピュータ可読媒体。
実施形態１７
前記実行された指示が、前記１以上のプロセッサに、各前記ユーザの前記履歴データに基づいて、各前記ユーザについての価格敏感性測定指標を決定することを更に行わせ、
前記実行された指示が、前記１以上のプロセッサに、各前記ユーザについての前記価格敏感性測定指標に基づいて、前記１組の一致するメニューアイテムを決定することを更に行わせる、
実施形態１６記載の非一過性のコンピュータ可読媒体。
実施形態１８
前記実行された指示が、前記１以上のプロセッサに、各前記ユーザの前記履歴データに基づいて、各前記ユーザについての時間敏感性測定指標を決定することを更に行わせ、
前記実行された指示が、前記１以上のプロセッサに、各前記ユーザについての前記時間敏感性測定指標に基づいて、前記１組の一致するメニューアイテムを決定することを更に行わせる
実施形態１６記載の非一過性のコンピュータ可読媒体。
実施形態１９
前記実行された指示が、前記１以上のプロセッサに、前記１以上のネットワークを介して、各前記メニューアイテム供給元から、該メニューアイテム供給元によって提供される利用可能なメニューアイテムの供給、または、前記メニューアイテム供給元によって提供される前記利用可能なメニューアイテムを構成する食材の供給のうちの少なくとも一方を示す供給データを受信することを更に行わせる、実施形態１３記載の非一過性のコンピュータ可読媒体。
実施形態２０
オンデマンド配達サービスを実装する、コンピュータによって実装される方法において、当該方法が１以上のプロセッサによって行われ、当該方法が、
前記オンデマンド配達サービスの各前記ユーザについて、食品アイテムについての１組のユーザ嗜好を示す嗜好プロファイルを生成する工程と、
前記１以上のネットワークを介して、複数のメニューアイテム供給元から１組の利用可能なメニューアイテムを受信する工程と、
各前記利用可能なメニューアイテムについて、説明的な用語の単語コーパスを含む潜在空間内におけるメニューアイテムベクトルであって、前記利用可能なメニューアイテムを表すメニューアイテムベクトルを生成する工程と、
各前記ユーザについて、前記潜在空間内における個人嗜好ベクトルであって、各前記ユーザの前記嗜好プロファイル内の前記１組のユーザ嗜好を表す個人嗜好ベクトルを生成する工程と、
各前記利用可能なメニューアイテムの前記メニューアイテムベクトル、および各前記ユーザの前記個人嗜好ベクトルに基づいて、前記１組の利用可能なメニューアイテムから１組の一致するメニューアイテムを決定する工程と、
１以上のネットワークを介して、各前記ユーザのコンピューティング装置にコンテンツデータを送信し、前記コンピューティング装置に、前記１組の一致するメニューアイテムをオンデマンド配達のための選択可能なアイテムとして表示させる工程と、
前記１以上のネットワークを介して、各前記ユーザの前記コンピューティング装置から、前記利用可能なメニューアイテムのうちの１つのメニューアイテムのユーザ選択を示す選択データを受信する工程と、
前記選択データを受信したことに応答して、１以上の輸送車輌とのネットワーク通信を介して、各前記ユーザへの前記選択されたメニューアイテムのオンデマンド配達をコーディネートする工程と
を含むことを特徴とする方法。
【手続補正２】
【補正対象書類名】特許請求の範囲
【補正対象項目名】全文
【補正方法】変更
【補正の内容】
【特許請求の範囲】
【請求項１】
オンデマンド配達サービスを実装するネットワークコンピュータシステムにおいて、
ネットワーク通信インターフェイスであって、１以上のネットワークを介して、（ｉ）前記オンデマンド配達サービスのユーザのコンピューティング装置、（ｉｉ）前記オンデマンド配達サービスのメニューアイテム供給元のコンピューティング装置、および（ｉｉｉ）前記オンデマンド配達サービスの輸送車輌のコンピューティング装置と接続するネットワーク通信インターフェイスと、
１以上のプロセッサと、
指示を格納した１以上のメモリリソースと
を含み、
前記指示が、前記１以上のプロセッサによって実行された際に、前記ネットワークコンピュータシステムに、
前記オンデマンド配達サービスの各前記ユーザについて、食品アイテムについての１組のユーザ嗜好を示す嗜好プロファイルを生成することと、
前記１以上のネットワークを介して、前記メニューアイテム供給元から１組の利用可能なメニューアイテムを受信することと、
各前記利用可能なメニューアイテムについて、説明的な用語の単語コーパスを含む潜在空間内におけるメニューアイテムベクトルであって、前記利用可能なメニューアイテムを表すメニューアイテムベクトルを生成することと、
各前記ユーザについて、前記潜在空間内における個人嗜好ベクトルであって、各前記ユーザの前記嗜好プロファイル内の前記１組のユーザ嗜好を表す個人嗜好ベクトルを生成することと、
前記１以上のネットワークを介して、各前記メニューアイテム供給元から、該メニューアイテム供給元によって提供される利用可能なメニューアイテムの供給、または、前記メニューアイテム供給元によって提供される前記利用可能なメニューアイテムを構成する食材の供給のうちの少なくとも一方を示す供給データを受信することと、
前記供給データに基づいて、各前記ユーザについての各複数のお薦め測定指標に重み付けを適用することと、
（ｉ）各前記利用可能なメニューアイテムの前記メニューアイテムベクトル、（ｉｉ）各前記ユーザの前記個人嗜好ベクトル、および（ｉｉｉ）各前記ユーザについての各前記複数のお薦め測定指標に適用された重み付けに基づいて、前記１組の利用可能なメニューアイテムから、１組の一致するメニューアイテムを決定することと、
前記１以上のネットワークを介して、各前記ユーザの前記コンピューティング装置にコンテンツデータを送信し、前記コンピューティング装置に、前記１組の一致するメニューアイテムをオンデマンド配達のための選択可能なアイテムとして表示させることと、
前記１以上のネットワークを介して、各前記ユーザの前記コンピューティング装置から、前記利用可能なメニューアイテムのうちの１つのメニューアイテムのユーザ選択を示す選択データを受信することと、
前記選択データを受信したことに応答して、前記輸送車輌のうちの１以上の輸送車輌とのネットワーク通信を介して、各前記ユーザへの前記選択されたメニューアイテムのオンデマンド配達をコーディネートすることと
を行わせることを特徴とするネットワークコンピュータシステム。
【請求項２】
前記実行された指示が、前記ネットワークコンピュータシステムに、各前記ユーザの現在の文脈的情報を決定することを更に行わせ、
前記実行された指示が、前記ネットワークコンピュータシステムに、前記現在の文脈的情報に基づいて、前記１組の一致するメニューアイテムを決定することを更に行わせる、請求項１記載のネットワークコンピュータシステム。
【請求項３】
前記現在の文脈的情報が、時刻、曜日、気象条件、各前記ユーザの現在位置、または各前記ユーザによる検索入力うちの少なくとも１つを示す、請求項２記載のネットワークコンピュータシステム。
【請求項４】
前記実行された指示が、前記ネットワークコンピュータシステムに、前記オンデマンド配達サービスに関する各前記ユーザの履歴データを収集することを更に行わせ、
各前記ユーザの前記嗜好プロファイルが、前記履歴データに基づく、
請求項１記載のネットワークコンピュータシステム。
【請求項５】
前記実行された指示が、前記ネットワークコンピュータシステムに、各前記ユーザの前記履歴データに基づいて、各前記ユーザについての価格敏感性測定指標を決定することを更に行わせ、
前記実行された指示が前記ネットワークコンピュータシステムに、各前記ユーザについての前記価格敏感性測定指標に基づいて、前記１組の一致するメニューアイテムを決定することを更に行わせる、
請求項４記載のネットワークコンピュータシステム。
【請求項６】
前記実行された指示が、前記ネットワークコンピュータシステムに、各前記ユーザの前記履歴データに基づいて、各前記ユーザについての時間敏感性測定指標を決定することを更に行わせ、
前記実行された指示が前記ネットワークコンピュータシステムに、各前記ユーザについての前記時間敏感性測定指標に基づいて、前記１組の一致するメニューアイテムを決定することを更に行わせる、
請求項４記載のネットワークコンピュータシステム。
【請求項７】
前記実行された指示が前記ネットワークコンピュータシステムに、
前記１以上のネットワークを介して、（ｉ）各前記輸送車輌の現在位置を示す位置データ、および（ｉｉ）各前記輸送車輌によって輸送中の利用可能なメニューアイテムの在庫を示す在庫データを受信することと、
前記位置データおよび前記在庫データに少なくとも部分的に基づいて、各前記ユーザへの前記選択されたメニューアイテムを配達するために最適な輸送車輌を選択することと
によって、各前記ユーザへの前記選択されたメニューアイテムのオンデマンド配達をコーディネートすることを行わせる、請求項１記載のネットワークコンピュータシステム。
【請求項８】
前記実行された指示が、前記ネットワークコンピュータシステムに、前記１以上のネットワークを介して、前記最適な輸送車輌のコンピューティング装置に、前記最適な輸送車輌の運転手が各前記ユーザへの前記選択されたメニューアイテムの配達を受諾または辞退することを可能にする配達インビテーションを送信することを更に行わせる、請求項７記載のネットワークコンピュータシステム。
【請求項９】
前記単語コーパスが、前記単語コーパスの前記説明的な用語間の関係を示すオントロジーグラフ内に含まれる、請求項１記載のネットワークコンピュータシステム。
【請求項１０】
受信された前記１組の利用可能なメニューアイテムのうちの各利用可能なメニューアイテムが、該メニューアイテムの画像を有し、
前記実行された指示が、前記ネットワークコンピュータシステムに、画像認識を用いて、前記利用可能なメニューアイテムの前記画像を構文解析することにより、前記利用可能なメニューアイテムの単語による説明を生成することを更に行わせ、
前記実行された指示が、前記ネットワークコンピュータシステムに、前記画像から構文解析された前記利用可能なメニューアイテムの前記単語による説明に基づいて、前記利用可能なメニューアイテムについての前記メニューアイテムベクトルを生成することを行わせる、
請求項１記載のネットワークコンピュータシステム。
【請求項１１】
指示を格納した非一過性のコンピュータ可読媒体において、前記指示が１以上のプロセッサによって実行された際に、前記指示が前記１以上のプロセッサに、
オンデマンド配達サービスの各ユーザについて、食品アイテムについての１組のユーザ嗜好を示す嗜好プロファイルを生成することと、
前記１以上のネットワークを介して、複数のメニューアイテム供給元から１組の利用可能なメニューアイテムを受信することと、
各前記利用可能なメニューアイテムについて、説明的な用語の単語コーパスを含む潜在空間内におけるメニューアイテムベクトルであって、前記利用可能なメニューアイテムを表すメニューアイテムベクトルを生成することと、
各前記ユーザについて、前記潜在空間内における個人嗜好ベクトルであって、各前記ユーザの前記嗜好プロファイル内の前記１組のユーザ嗜好を表す個人嗜好ベクトルを生成することと、
前記１以上のネットワークを介して、各前記メニューアイテム供給元から、該メニューアイテム供給元によって提供される利用可能なメニューアイテムの供給、または、前記メニューアイテム供給元によって提供される前記利用可能なメニューアイテムを構成する食材の供給のうちの少なくとも一方を示す供給データを受信することと、
前記供給データに基づいて、各前記ユーザについての各複数のお薦め測定指標に重み付けを適用することと、
（ｉ）各前記利用可能なメニューアイテムの前記メニューアイテムベクトル、（ｉｉ）各前記ユーザの前記個人嗜好ベクトル、および（ｉｉｉ）各前記ユーザについての各前記複数のお薦め測定指標に適用された重み付けに基づいて、前記１組の利用可能なメニューアイテムから、１組の一致するメニューアイテムを決定することと、
１以上のネットワークを介して、各前記ユーザのコンピューティング装置にコンテンツデータを送信し、前記コンピューティング装置に、前記１組の一致するメニューアイテムをオンデマンド配達のための選択可能なアイテムとして表示させることと、
前記１以上のネットワークを介して、各前記ユーザの前記コンピューティング装置から、前記利用可能なメニューアイテムのうちの１つのメニューアイテムのユーザ選択を示す選択データを受信することと、
前記選択データを受信したことに応答して、１以上の輸送車輌とのネットワーク通信を介して、各前記ユーザへの前記選択されたメニューアイテムのオンデマンド配達をコーディネートすることと、
を行わせることを特徴とする、非一過性のコンピュータ可読媒体。
【請求項１２】
前記実行された指示が、前記ネットワークコンピュータシステムに、各前記ユーザの現在の文脈的情報を決定することを更に行わせ、
前記実行された指示が、前記１以上のプロセッサに、前記現在の文脈的情報に基づいて、前記１組の一致するメニューアイテムを決定することを更に行わせる、
請求項１１記載の非一過性のコンピュータ可読媒体。
【請求項１３】
前記現在の文脈的情報が、時刻、曜日、気象条件、各前記ユーザの現在位置、または各前記ユーザによる検索入力うちの少なくとも１つを示す、請求項１２記載の非一過性のコンピュータ可読媒体。
【請求項１４】
前記実行された指示が、前記１以上のプロセッサに、前記オンデマンド配達サービスに関する各前記ユーザの履歴データを収集することを更に行わせ、
各前記ユーザの前記嗜好プロファイルが、前記履歴データに基づく、
請求項１１記載の非一過性のコンピュータ可読媒体。
【請求項１５】
前記実行された指示が、前記１以上のプロセッサに、各前記ユーザの前記履歴データに基づいて、各前記ユーザについての価格敏感性測定指標を決定することを更に行わせ、
前記実行された指示が、前記１以上のプロセッサに、各前記ユーザについての前記価格敏感性測定指標に基づいて、前記１組の一致するメニューアイテムを決定することを更に行わせる、
請求項１４記載の非一過性のコンピュータ可読媒体。
【請求項１６】
前記実行された指示が、前記１以上のプロセッサに、各前記ユーザの前記履歴データに基づいて、各前記ユーザについての時間敏感性測定指標を決定することを更に行わせ、
前記実行された指示が、前記１以上のプロセッサに、各前記ユーザについての前記時間敏感性測定指標に基づいて、前記１組の一致するメニューアイテムを決定することを更に行わせる
請求項１４記載の非一過性のコンピュータ可読媒体。
【請求項１７】
オンデマンド配達サービスを実装する、コンピュータによって実装される方法において、当該方法が１以上のプロセッサによって行われ、当該方法が、
前記オンデマンド配達サービスの各前記ユーザについて、食品アイテムについての１組のユーザ嗜好を示す嗜好プロファイルを生成する工程と、
前記１以上のネットワークを介して、複数のメニューアイテム供給元から１組の利用可能なメニューアイテムを受信する工程と、
各前記利用可能なメニューアイテムについて、説明的な用語の単語コーパスを含む潜在空間内におけるメニューアイテムベクトルであって、前記利用可能なメニューアイテムを表すメニューアイテムベクトルを生成する工程と、
各前記ユーザについて、前記潜在空間内における個人嗜好ベクトルであって、各前記ユーザの前記嗜好プロファイル内の前記１組のユーザ嗜好を表す個人嗜好ベクトルを生成する工程と、
前記１以上のネットワークを介して、各前記メニューアイテム供給元から、該メニューアイテム供給元によって提供される利用可能なメニューアイテムの供給、または、前記メニューアイテム供給元によって提供される前記利用可能なメニューアイテムを構成する食材の供給のうちの少なくとも一方を示す供給データを受信する工程と、
前記供給データに基づいて、各前記ユーザについての各複数のお薦め測定指標に重み付けを適用する工程と、
（ｉ）各前記利用可能なメニューアイテムの前記メニューアイテムベクトル、（ｉｉ）各前記ユーザの前記個人嗜好ベクトル、および（ｉｉｉ）各前記ユーザについての各前記複数のお薦め測定指標に適用された重み付けに基づいて、前記１組の利用可能なメニューアイテムから１組の一致するメニューアイテムを決定する工程と、
１以上のネットワークを介して、各前記ユーザのコンピューティング装置にコンテンツデータを送信し、前記コンピューティング装置に、前記１組の一致するメニューアイテムをオンデマンド配達のための選択可能なアイテムとして表示させる工程と、
前記１以上のネットワークを介して、各前記ユーザの前記コンピューティング装置から、前記利用可能なメニューアイテムのうちの１つのメニューアイテムのユーザ選択を示す選択データを受信する工程と、
前記選択データを受信したことに応答して、１以上の輸送車輌とのネットワーク通信を介して、各前記ユーザへの前記選択されたメニューアイテムのオンデマンド配達をコーディネートする工程と
を含むことを特徴とする方法。